(57)【要約】【課題】ユーザの異なる用途に応じて、発光領域を複数の発光エリアに分割し、各エリアについて区分して点灯できる発光ダイオード封止構造を提供する。【解決手段】基板ユニット１は、基板本体１０と、複数のチップ載置領域１１と、複数の正、負極電気パッド１１ａ，１１ｂとを有し、正極電気パッド１１ａは、互いに絶縁された複数の正極電気パッド群Ｓ１に分けられ、各正極電気パッド群Ｓ１の正極電気パッド１１ａは互いに接続される一方、負極電気パッド１１ｂは、互いに絶縁された複数の負極電気パッドＳ２に分けられ、各負極電気パッド群Ｓ２の負極電気パッド１１ｂは互いに接続される。発光ユニット２は、基板本体１０に設けられた複数の発光ダイオードチップ２０を有する。封止ユニット４は、基板本体１０の上面に発光ユニット２及び導電ユニットを覆うように成形された光透過封止コロイド４０を有する。【選択図】図１Ａ
0003156197.tif 000002
【実用新案登録請求の範囲】
【請求項１】
基板本体と、前記基板本体の上面に設けられた複数のチップ載置領域とを有し、前記基板本体の上面に複数の正極電気パッド及び複数の負極電気パッドを有し、前記正極電気パッドは、互いに電気的に絶縁された複数の正極電気パッド群に分けられ、各正極電気パッド群の前記正極電気パッドは互いに電気的に接続される一方、前記負極電気パッドは、互いに電気的に絶縁された複数の負極電気パッド群に分けられ、各負極電気パッド群の前記負極電気パッドは互いに電気的に接続されている基板ユニットと、
前記チップ載置領域にそれぞれ設けられた複数の発光ダイオードチップを有する発光ユニットと、
複数本のリード線を有し、各発光ダイオードチップは、それぞれ二本のリード線を介して正極電気パッド群と負極電気パッド群との間に電気的に接続されている導電ユニットと、
前記基板本体の上面に前記発光ユニット及び前記導電ユニットを覆うように成形された光透過封止コロイドを有する封止ユニットと、を備える区分して点灯可能な発光ダイオード封止構造。
【請求項２】
さらに、塗布方式で前記基板本体の上面に取巻いて成形された取巻き式の光反射コロイドを有する光反射ユニットを備え、前記取巻き式光反射コロイドは、複数の発光ダイオードチップを取り囲んで、前記基板本体の上方に位置されたコロイド位置制限空間を形成し、且つ、前記光透過コロイドは、前記コロイド位置制限空間内に制限されている請求項１に記載の区分して点灯可能な発光ダイオード封止構造。
【請求項３】
前記取巻き式光反射コロイドの上面は円弧形をなして、前記基板本体の上面に対する前記取巻き式光反射コロイドの円弧接線Ｔの角度は、４０〜５０°の間であって、前記基板本体の上面に対する前記取巻き式光反射コロイドの天井面の高さは、０．３〜０．７ｍｍの間であって、前記取巻き式光反射コロイドの底部の幅は、１．５〜３ｍｍであって、前記取巻き式光反射コロイドのチキソトロピー指数は、４〜６の間であって、前記取巻き式光反射コロイドは、無機添加物が配合された白色熱硬化性光反射コロイドである請求項２に記載の区分して点灯可能な発光ダイオード封止構造。
【請求項４】
前記基板本体は、回路基板と、前記回路基板の底部に設けられた放熱層と、前記回路基板の上面に設けられ前記正極電気パッド、前記負極電気パッド及び前記チップ載置領域を露出させるための光反射絶縁層とを備え、各発光ダイオードチップは、青色発光ダイオードチップであり、前記光透過封止コロイドは蛍光コロイドである請求項１に記載の区分して点灯可能な発光ダイオード封止構造。
【請求項５】
基板本体と、前記基板本体の上面に設けられた複数のチップ載置領域とを有し、前記基板本体の上面に複数の正極電気パッド及び複数の負極電気パッドを有し、前記正極電気パッドは、互いに電気的に絶縁された複数の正極電気パッド群に分けられ、各正極電気パッド群の前記正極電気パッドは互いに電気的に接続される一方、前記負極電気パッドは、互いに電気的に絶縁された複数の負極電気パッド群に分けられ、各負極電気パッド群の前記負極電気パッドは互いに電気的に接続されている基板ユニットと、
前記チップ載置領域にそれぞれ設けられた複数の発光ダイオードチップを有する発光ユニットと、
複数本のリード線を有し、各発光ダイオードチップは、それぞれ二本のリード線を介して正極電気パッド群と負極電気パッド群との間に電気的に接続されている導電ユニットと、
前記基板本体の上面に前記発光ユニット及び前記導電ユニットを覆うように成形された複数の光透過封止コロイドを有する封止ユニットと、を備える区分して点灯可能な発光ダイオード封止構造。
【請求項６】
さらに、塗布方式で前記基板本体の上面に取巻いて成形された複数の取巻き式の光反射コロイドを有する光反射ユニットを含み、前記取巻き式光反射コロイドは、複数の発光ダイオードチップをぞれぞれ選択的に取り囲んで、前記基板本体の上方に位置された複数のコロイド位置制限空間を形成し、且つ、前記光透過コロイドは、前記コロイド位置制限空間内に制限されている請求項５に記載の区分して点灯可能な発光ダイオード封止構造。
【考案の詳細な説明】
【技術分野】
【０００１】
本考案は、発光ダイオード封止構造に係り、特に、発光領域を複数の発光エリアに分割して、各エリアについてそれぞれ点灯できるという区分して点灯可能な発光ダイオード封止構造に関するものである。
【背景技術】
【０００２】
電灯の発明は、全人類の生活スタイルを徹底的に変えたとも言える。われわれの生活では電灯がないと、夜間または天気状況が良くない場合、全ての仕事が中断せざるを得ない状況になる。すなわち、もし照明が発明されてなかったら、全人類は進歩できず、引き続き従前の水準に留まることとなる。
【０００３】
ちなみに、現在、市販されている照明設備、例えば、昼光電球、オスラム電球、または人々に広く受けられる省電力ランプまでは、いずれも、日常生活に普遍に応用されている。しかしながら、このような電球のほとんどは、光減衰が早く、消費電力量が高く、高熱が発生し易く、寿命が短く、破れ易く、或いは、回収し難い等の欠点がある。上記問題を解決するため、発光ダイオード電球または発光ダイオード灯管が生まれた。
【考案の概要】
【考案が解決しようとする課題】
【０００４】
本考案の主な目的は、ユーザの異なる用途に応じて、発光領域を複数の発光エリアに分割して、各エリアについてそれぞれ点灯できるという区分して点灯可能な発光ダイオード封止構造を提供することにある。
【課題を解決するための手段】
【０００５】
前記技術課題を解決するため、本考案にかかる一つの技術方案によると、区分して点灯可能な発光ダイオード封止構造を提供する。発光ダイオード封止構造は、基板ユニットと、発光ユニットと、導電ユニットと、封止ユニットとを備える。前記基板ユニットは、基板本体と、前記基板本体の上面に設けられた複数のチップ載置領域とを有し、前記基板本体の上面に複数の正極電気パッド及び複数の負極電気パッドを有し、前記正極電気パッドは、互いに電気的に絶縁された複数の正極電気パッド群に分けられ、各正極電気パッド群の前記正極電気パッドは互いに電気的に接続される一方、前記負極電気パッドは、互いに電気的に絶縁された複数の負極電気パッド群に分けられ、各負極電気パッド群の前記負極電気パッドは互いに電気的に接続されている。前記発光ユニットは、前記チップ載置領域にそれぞれ設けられた複数の発光ダイオードチップを有する。前記導電ユニットは、複数本のリード線を有し、各発光ダイオードチップは、それぞれ二本のリード線を介して正極電気パッド群と負極電気パッド群との間に電気的に接続されている。前記封止ユニットは、前記基板本体の上面に前記発光ユニット及び前記導電ユニットを覆うように成形された光透過封止コロイドを有する。
【０００６】
そのため、本考案の有益な効果は、以下の通りである。本考案は、発光領域を複数の発光エリアに分割して、ユーザの異なる用途に応じて、異なる発光エリアの光源をそれぞれ区分して点灯することができ、また、発光ダイオード封止構造を複数の独立した発光構造に切断することで、各発光構造は、いずれも、発光ダイオードを個別に点灯可能な機能を有する。
【０００７】
本考案の所定の目的を達成するために採択される技術、手段及び効果をさらに理解するため、以下に本考案に関る説明及び添付図面を参照することにより、本考案の目的や、特徴を深く且つ具体的に理解することができるが、添付図面は参考及び説明用に提供したに過ぎず、本考案の技術的範囲を狭義的に限定するものではない。
【図面の簡単な説明】
【０００８】
【図１Ａ】図１Ａは、本考案による第１実施例を示す平面図である。
【図１Ｂ】図１Ｂは、本考案による第１実施例を示す側面断面図である。
【図１Ｃ】図１Ｃは、本考案による第１実施例の切断後の構造を示す平面図である。
【図２Ａ】図２Ａは、本考案による第２実施例を示す平面図である。
【図２Ｂ】図２Ｂは、本考案による第２実施例の切断後の構造を示す平面図である。
【図３】図３は、本考案による他の基板ユニットを示す平面図である。
【考案を実施するための形態】
【０００９】
図１Ａ〜図１Ｃに示すように、本考案による第１実施例は、区分して点灯可能な発光ダイオード封止構造を提供する。発光ダイオード封止構造は、基板ユニット１と、発光ユニット２と、光反射ユニット３と、導電ユニットＷと、封止ユニット４とを含む。
【００１０】
基板ユニット１は、基板本体１０と、基板本体１０の上面に設けられた複数のチップ載置領域（chip placing area）１１とを有し、且つ、基板本体１０の上面に複数の正極電気パッド１１ａ及び複数の負極電気パッド１１ｂを有する。また、複数の正極電気パッド１１ａは、互いに電気的に絶縁された複数の正極電気パッド群Ｓ１に分けられ、各正極電気パッド群Ｓ１の複数の正極電気パッド１１ａは互いに電気的に接続され、各正極電気パッド群Ｓ１は、露出正極パッドＳ１′に電気的に接続されている。一方、複数の負極電気パッド１１ｂは、互いに電気的に絶縁された複数の負極電気パッド群Ｓ２に分けられ、各負極電気パッド群Ｓ２の複数の負極電気パッド１１ｂは互いに電気的に接続され、各負極電気パッド群Ｓ２は、露出負極パッドＳ２′に電気的に接続されている。例えば、第１実施例では、複数の正極電気パッド１１ａは、互いに電気的に絶縁された４つの正極電気パッド群Ｓ１に分けられ、複数の負極電気パッド１１ｂは、互いに電気的に絶縁された４つの負極電気パッド群Ｓ２に分けられている。
【００１１】
また、基板本体１０は、回路基板１００と、回路基板１００の底部に設けられた放熱層１０１と、回路基板１００の上面に設けら、正極電気パッド１１ａ、負極電気パッド１１ｂ及びチップ載置領域１１を露出させるための光反射絶縁層１０２とを備える。
【００１２】
また、発光ユニット２は、複数のチップ載置領域１１にそれぞれ設けられた複数の発光ダイオードチップ２０を有し、各発光ダイオードチップ２０は、各正極電気パッド１１ａに対応する正極端Ｐと、各負極電気パッド１１ｂに対応する負極端Ｎとを有する。
【００１３】
導電ユニットＷは、複数本のリード線Ｗａを有し、各発光ダイオードチップ２０は、それぞれ二本のリード線Ｗａを介して正極電気パッド１１ａ群と負極電気パッド１１ｂ群との間に電気的に接続されている。言い換えれば、各リード線Ｗａは、それぞれ、各発光ダイオードチップ２０の正極端Ｐと各正極電気パッド１１ａとの間、及び、各発光ダイオードチップ２０の負極端Ｎと各負極電気パッド１１ｂとの間に電気的に接続されている。
【００１４】
また、光反射ユニット３は、塗布方式で基板本体１０の上面に取巻いて成形された取巻き式の光反射コロイド３０を有する。取巻き式の光反射コロイド３０は、複数の発光ダイオードチップ２０を取り囲んで、基板本体１０の上方に位置されたコロイド位置制限空間３００を形成し、且つ、光透過コロイド４０は、コロイド位置制限空間３００内に制限されている。
【００１５】
また、図１Ｂに示すように、取巻き式の光反射コロイド３０の上面は円弧形をなし、基板本体１０の上面に対する取巻き式の光反射コロイド３０の円弧接線Ｔの角度θは、好ましくは４０〜５０°の間である。基板本体１０の上面に対する取巻き式の光反射コロイド３０の天井面の高さＨは、好ましくは０．３〜０．７ｍｍの間である。取巻き式の光反射コロイド３０の底部の幅は、好ましくは１．５〜３ｍｍである。且つ、取巻き式の光反射コロイド３０ｂのチキソトロピー指数（thixotropic index）は、４〜６の間である。前記光反射コロイド３０は、無機添加物が配合された白色熱硬化性光反射コロイドからなるものである。
【００１６】
また、封止ユニット４は、基板本体１０の上面に発光ユニット２及び導電ユニットＷを覆うように成形された光透過封止コロイド４０を有する。
【００１７】
本考案にかかる第１実施例で挙げた例によると、各発光ダイオードチップ２０は、青色発光ダイオードチップであり、光透過封止コロイド４０は蛍光コロイドであるので、複数の発光ダイオードチップ２０（複数の青色発光ダイオードチップ）が出射する青色ビーム（図示せず）は、光透過封止コロイド４０（蛍光コロイド）を直接に透過して、昼光ランプに似た白色ビーム（図示せず）を発生する。
【００１８】
そのため、切断される前の発光ダイオード封止構造（図１Ａに示すように）を直接に使用でき、第１実施例で挙げた例から、切断される前の発光ダイオード封止構造は、実際の状況に応じて、４つのエリアに位置する発光ダイオードチップ２０を点灯することで、区分して点灯可能な目的を達成できる。例えば、電源の正、負極（図示せず）を第１エリア（最も左側仮想線の左側エリア）の露出正極パッドＳ１′及び露出負極パッドＳ２′に接触させると、第１エリア内の発光ダイオードチップ２０が発光する。
【００１９】
さらに、異なる用途に応じて、本考案は、発光ダイオード封止構造を図１Ａの仮想線に沿って切断することができる（図１Ｃに示すように）。第１実施例で挙げた例から、３つの独立した発光構造Ｚに切断することで、その中の一つは（図１Ｃでは、最も右側の方）区分して点灯可能な効果を有する（前記挙げた例と同じ）。
【００２０】
図２Ａ及び図２Ｂに示すように、本考案にかかる第２実施例が第１実施例との最も大きな相違点は、第２実施例では、封止ユニット４は、基板本体１０の上面に発光ユニット２及び導電ユニットＷを覆うように成形された複数の光透過封止コロイド４０を有する点である。また、光反射ユニット３は、塗布方式で基板本体１０の上面に取巻いて成形された複数の取巻き式の光反射コロイド３０を有し、複数の取巻き式の光反射コロイド３０は、複数の発光ダイオードチップ２０をそれぞれ選択的に取り囲んで、基板本体１０の上方に位置されたコロイド位置制限空間３００を複数形成する。且つ、複数の光透過コロイド４０は、複数のコロイド位置制限空間３００内にそれぞれ局限されている。そのため、切断された各発光構造Ｚは、いずれも、独立した取巻き式の光反射コロイド３０及び光透過封止コロイド４０を有する。
【００２１】
図３に示すように、本考案にかかる第３実施例は、他の基板ユニット１を提案する。基板ユニット１の複数の正極電気パッド１１ａと複数の負極電気パッド１１ｂとの配列方式は、図に示されるが、これは単なる例示にすぎず、本考案を制限するものではない。
【００２２】
以上のように、本考案は、ユーザの異なる用途に応じて異なる発光エリアの光源をそれぞれ区分して点灯でき、また、発光ダイオード封止構造を複数の独立した発光構造に切断し、各発光構造は、いずれも、発光ダイオードを個別に点灯可能な機能を有する。
【００２３】
以上、本考案を幾つかの好ましい実施例について記述したが、本考案の技術的範囲は上記実施例に限定されるものではなく、本考案の趣旨を逸脱しない範囲において、当業者によって様々な修正及び変形を加えることが可能である。
。
【符号の説明】
【００２４】
Ｚ      発光構造
１      基板ユニット
１０    基板本体
１１    チップ載置領域
１００  回路基板
１０１  放熱層
１０２  光反射絶縁層
１１ａ  正極電気パッド
１１ｂ  負極電気パッド
Ｓ１    正極電気パッド群
Ｓ１′  露出正極パッド
Ｓ２    負極電気パッド群
Ｓ２′  露出負極パッド
２      発光ユニット
２０    発光ダイオードチップ
Ｐ      正極端
Ｎ      負極端
３      光反射ユニット
３０    取巻き式光反射コロイド
３００  コロイド位置制限空間
４      封止ユニット
４０    光透過封止コロイド
Ｌ１    青色ビーム
Ｌ２    白色ビーム
θ      角度
Ｈ      高さ
Ｔ      円弧接線
Ｗ      導電ユニット
Ｗａ    リード線
【図１Ａ】
0003156197.tif 000003
【図１Ｂ】
0003156197.tif 000004
【図１Ｃ】
0003156197.tif 000005
【図２Ａ】
0003156197.tif 000006
【図２Ｂ】
0003156197.tif 000007
【図３】
0003156197.tif 000008